(57)【要約】【課題】マンション等の室内でのアプローチの練習に適したゴルフ練習用具、特にゴルフボールの落下音の発生を極力軽減可能で、打ったゴルフボールを効率的に回収でき、しかも組み立てや分解が簡単で、小さく折り畳んで収納可能なゴルフ練習用具を提供すること。【解決手段】練習者に向けて開口する箱型のゴルフ練習用具Ａであって、該ゴルフ練習用具Ａの下部に床面から離間した状態に張設され且つ該ゴルフ練習用具Ａの前方に傾斜状に延設された舌状部８を備えるゴルフ練習用具Ａ。【効果】ゴルフボールの衝突音や落下音が殆ど生じないため、例えば、マンション等の室内でもアプローチ等のゴルフショットの練習を気軽に行うことができる。【選択図】  図１
2004254944.tif 000002
【特許請求の範囲】
【請求項１】
練習者に向けて開口する箱型のゴルフ練習用具であって、該ゴルフ練習用具の下部に床面から離間した状態に張設され且つ該ゴルフ練習用具の前方に傾斜状に延設された舌状部を備えることを特徴とするゴルフ練習用具。
【請求項２】
前記舌状部は、その先端部分にボール受け用ネットが配設されていることを特徴とする請求項１記載のゴルフ練習用具。
【請求項３】
前記舌状部は、下側に緩衝体を配設していることを特徴とする請求項１記載のゴルフ練習用具。
【請求項４】
前記舌状部は、その右端部分及び左端部分にそれぞれ棒状体が配設されていることを特徴とする請求項１記載のゴルフ練習用具。
【請求項５】
前記舌状部は、ゴルフ練習用具の本体部に着脱可能に係止されていることを特徴とする請求項１記載のゴルフ練習用具。
【請求項６】
練習者に向けて開口する箱型のゴルフ練習用具であって、
リング体を備えたリング構造で形成された枠体よりなる開口部と、
それぞれリング体を備えたリング構造で形成された枠体と該枠体に張設された膜部材とよりなる右側面部、左側面部、及び背面部と、
該開口部、右側面部、左側面部、及び背面部のそれぞれの枠体に張設された膜部材よりなる上面部と、
該ゴルフ練習用具の下部に床面から離間した状態に張設され且つ該ゴルフ練習用具の前方に傾斜状に延設された舌状部と、
を備えることを特徴とするゴルフ練習用具。
【請求項７】
前記リング体は、断面矩形状の金属製のリングであることを特徴とする請求項６記載のゴルフ練習用具。
【請求項８】
更に、前記背面部の膜部材の下端が前方に延設され、前記開口部、右側面部、及び左側面部のそれぞれの枠体に張設されて形成された底面部を備えることを特徴とする請求項６記載のゴルフ練習用具。
【請求項９】
前記ゴルフ練習用具は、更に、脚部を備えることを特徴とする請求項６記載のゴルフ練習用具。
【請求項１０】
練習者に向けて開口する箱型のゴルフ練習用具であって、
立設された４本の柱状体と、
隣接する２本の該柱状体の間に支持部材を介して張設された膜部材よりなる右側面部、左側面部、及び背面部と、
該右側面部、左側面部、及び背面部の上部に張設された膜部材よりなる上面部と、
該ゴルフ練習用具の下部に床面から離間した状態に張設され且つ該ゴルフ練習用具の前方に傾斜状に延設された舌状部とを備え、
該４本の柱状体は、隣接する柱状体同士が中間位置で交差して枢着された交差する２本の連結部材によって相互に連結されて支持されることを特徴とするゴルフ練習用具。
【請求項１１】
前記右側面部、左側面部、及び上面部の膜部材はそれぞれ、ネットであることを特徴とする請求項６又は１０記載のゴルフ練習用具。
【請求項１２】
前記背面部の膜部材及び舌状部は、可撓性シートであることを特徴とする請求項６又は１０記載のゴルフ練習用具。
【請求項１３】
前記上面部から、更に、標的幕が着脱交換可能に垂下されてなることを特徴とする請求項６又は１０記載のゴルフ練習用具。
【発明の詳細な説明】
【０００１】
【発明の属する技術分野】
本発明は、ゴルフ練習用具に関し、更に詳しくは、特に室内でのアプローチの練習に適したゴルフ練習用具に関する。
【０００２】
【従来の技術】
一般家庭等においてゴルフの練習を行うためのゴルフ練習用具としては、従来から、屋上や広い庭に張設するゲージ型のドライバーショット用ネットや、室内に敷設するカップ用穴付きのパター用人工芝マット、屋外や室内に垂下する同心円状のシート製標的等が知られている。
【０００３】
しかし、ショートアイアンを用いたアプローチ練習用のゴルフ練習用具は、上記のようなゴルフ練習用具ほど数多くは上市されていない。
まして、室内用のアプローチ練習用具となると、ほとんど見受けられないのが現状である。
【０００４】
室内でアプローチの練習をするものとして意図されたゴルフ練習用具としては、パッティング用人工芝と組み合わせたネット型のもの（特許文献１参照）や、ゴルフ練習具兼用傘（特許文献２参照）が提案されている。
また、室内にボールが散乱するのを防止するために、ボールを当てるためのネット部材の手前側にフロントネット部材を配した練習用具もある（特許文献３参照）。
更に、パイプ等で骨組みを形成して、その間にネットを張るタイプのゴルフ練習用具も提案されている（特許文献４参照）。
【０００５】
【特許文献１】
特開平８−２５２３５０号公報
【特許文献２】
特開平６−２５４１８８号公報
【特許文献３】
特開２０００−１６７０９６号公報
【特許文献４】
特開平５−３１７４７６号公報
【０００６】
【発明が解決しようとする課題】
しかし、こうしたゴルフ練習用具を、例えば、マンション等の集合住宅で使用しようとすると、以下のような種々の問題が発生するため、必ずしも使用し易いものとは言えない。
【０００７】
つまり、▲１▼ショットしたボールがゴルフ練習用具のネット等に当たった後、床上に落下した時の音が響き、騒音となる。
▲２▼ボールがネット等に当たった後、そのまま室内に散乱してしまう。
▲３▼練習用具が大型であるため、狭い室内では必ずしも使い勝手が良くなく、しかも使用後、収納に場所を取る。
▲４▼組み立てや分解に手間が掛かり、面倒である。
【０００８】
上記の各特許文献に記載されたゴルフ練習用具は、こうした課題をすべてクリアできるものとは言えず、一長一短である。
しかし、上記▲１▼〜▲４▼の問題点をすべて解消しないと、使い勝手のよいゴルフ練習用具とは言えない。
特に、問題点▲１▼に関しては、有効且つ十分な対策が取られているとは必ずしも言えない。
【０００９】
しかし、ゴルフボールが床に落下した時の衝突音は、床下のコンクリートや鉄骨を伝わって周囲や階下の住宅に響き易い。
また、床がフローリングや床タイルの場合には、床面でボールが何度も跳ねるため、１回のショットで数回の連続した落下音が響いてしまう。
【００１０】
本発明は、かかる実状を背景に、上記問題点を克服するためになされたものである。
すなわち、本発明の目的は、ゴルフ練習用具であって、特にマンション等の室内でのアプローチの練習に適したゴルフ練習用具を提供することである。
【００１１】
また、ゴルフボールの落下音の発生を極力軽減可能なゴルフ練習用具を提供することである。
更に、打ったゴルフボールを効率的に回収でき、しかも組み立てや分解が簡単で、小さく折り畳んで収納可能なゴルフ練習用具を提供することである。
【００１２】
【課題を解決するための手段】
かくして、本発明者は、このような課題背景に対して、鋭意研究を重ねた結果、  ゴルフ練習用具の下部に床から浮かせた状態に膜部材を張設することにより、落下してきたゴルフボールの衝撃を吸収して衝突音（落下音）を効果的に消音できること、及びその膜部材をゴルフ練習用具の前方に傾斜状に延ばすことにより、ボールを効率的に回収できることを見出し、この知見に基づいて本発明は完成させたものである。
【００１３】
即ち、本発明は、（１）、練習者に向けて開口する箱型のゴルフ練習用具であって、該ゴルフ練習用具の下部に床面から離間した状態に張設され且つ該ゴルフ練習用具の前方に傾斜状に延設された舌状部を備えるゴルフ練習用具に存する。
【００１４】
そして、（２）、前記舌状部は、その先端部分にボール受け用ネットが配設されているゴルフ練習用具に存する。
【００１５】
そしてまた、（３）、前記舌状部は、下側に緩衝体を配設しているゴルフ練習用具に存する。
【００１６】
そしてまた、（４）、前記舌状部は、その右端部分及び左端部分にそれぞれ棒状体が配設されているゴルフ練習用具に存する。
【００１７】
そしてまた、（５）、前記舌状部は、ゴルフ練習用具の本体部に着脱可能に係止されているゴルフ練習用具に存する。
【００１８】
そしてまた、（６）、練習者に向けて開口する箱型のゴルフ練習用具であって、リング体を備えたリング構造で形成された枠体よりなる開口部と、それぞれリング体を備えたリング構造で形成された枠体と該枠体に張設された膜部材とよりなる右側面部、左側面部、及び背面部と、該開口部、右側面部、左側面部、及び背面部のそれぞれの枠体に張設された膜部材よりなる上面部と、該ゴルフ練習用具の下部に床面から離間した状態に張設され且つ該ゴルフ練習用具の前方に傾斜状に延設された舌状部と、を備えるゴルフ練習用具に存する。
【００１９】
そしてまた、（７）、前記リング体は、断面矩形状の金属製のリングであるゴルフ練習用具に存する。
【００２０】
そしてまた、（８）、更に、前記背面部の膜部材の下端が前方に延設され、前記開口部、右側面部、及び左側面部のそれぞれの枠体に張設されて形成された底面部を備えるゴルフ練習用具に存する。
【００２１】
そしてまた、（９）、前記ゴルフ練習用具は、更に、脚部を備えるゴルフ練習用具に存する。
【００２２】
そしてまた、（１０）、練習者に向けて開口する箱型のゴルフ練習用具であって、立設された４本の柱状体と、隣接する２本の該柱状体の間に支持部材を介して張設された膜部材よりなる右側面部、左側面部、及び背面部と、該右側面部、左側面部、及び背面部の上部に張設された膜部材よりなる上面部と、該ゴルフ練習用具の下部に床面から離間した状態に張設され且つ該ゴルフ練習用具の前方に傾斜状に延設された舌状部とを備え、該４本の柱状体は、隣接する柱状体同士が中間位置で交差して枢着された交差する２本の連結部材によって相互に連結されて支持されるゴルフ練習用具に存する。
【００２３】
そしてまた、（１１）、前記右側面部、左側面部、及び上面部の膜部材はそれぞれ、ネットであるゴルフ練習用具に存する。
【００２４】
そしてまた、（１２）、前記背面部の膜部材及び舌状部は、可撓性シートであるゴルフ練習用具に存する。
【００２５】
そしてまた、（１３）、前記上面部から、更に、標的幕が着脱交換可能に垂下されてなるゴルフ練習用具に存する。
【００２６】
本発明はこの目的に沿ったものであれば、上記１〜１３の中から選ばれた２つ以上を組み合わせた構成も当然採用可能である。
【００２７】
【発明の実施の形態】
以下、図面に基づき、本発明のゴルフ練習用具の好適な実施の形態について述べる。
本発明のゴルフ練習用具は、練習者に向けて開口する箱型のゴルフ練習用具であり、主に室内用のアプローチ練習用具として用いられることを意図している。
【００２８】
そして、ショットしたゴルフボールが衝突し落下する際の音の発生を極力軽減することを主目的とするものであり、同時に、ゴルフボールを効率よく回収できるようにしたものである。
更に、組み立てや分解が簡単で、小さく折り畳んで収納できるようにすることも考慮されている。
【００２９】
〔第１の実施の形態〕
図１は、本発明のゴルフ練習用具の第１の実施の形態を示す斜視図である。
本実施形態のゴルフ練習用具Ａは、開口部１、右側面部２、左側面部３、背面部４、上面部５、底面部６、脚部７、及び舌状部８を備える。
本実施形態では、更に、標的幕９を垂下した状態を示している。
尚、本明細書では、ゴルフ練習用具Ａから舌状部８（及び標的膜９）を取り除いた状態のもの（図２参照）を、ゴルフ練習用具Ａの本体部Ａａという場合がある。
【００３０】
〔舌状部について〕
さて、ゴルフ練習用具Ａの本体部Ａａの説明の前に、本発明特有の舌状部８について述べる。
図１に示したように、舌状部８は、ゴルフ練習用具Ａの下部に床面から離間した状態に張設され、且つ該ゴルフ練習用具Ａの前方に傾斜状に延設されていることを特徴とする。
【００３１】
本実施形態では、舌状部８は、後述する右側面部２、左側面部３、及び背面部４のそれぞれの膜部材２２、３２、及び４２の下部に係止されて張設され、開口部１の前方に傾斜状に、即ち、前方に行くに従って高さが低くなるように、延設された状態に形成されている。
舌状部８がこのように形成されていることで、以下のような優れた機能が発揮される。
【００３２】
第一に、練習者が打ったゴルフボールが標的幕９や背面部４等に当たって舌状部８上に落下する際、落下音を効果的に消音し或いは非常に小さいものとすることができる。
従来例にように、ゴルフボールが直接床面に落下すると、フローリングの床や床下のコンクリート等に落下音が響くが、本発明によれば、張設された舌状部８の上に落下すると舌状部８が落下の衝撃を効果的に吸収してしまうため、ほとんど音がしない。
仮に、音がしても非常に小さい落下音しか生じない。
【００３３】
そのため、舌状部８としては、可撓性を有するシート状部材（即ち可撓性シート）のような衝撃を吸収し易いものを用いると、上記機能がより有効に発揮され、好ましい。
中でも、ポリアミド繊維布帛製の可撓性シートは、上記の消音効果に優れるうえ、軽量で丈夫であり好ましい。
【００３４】
第二に、舌状部８がゴルフ練習用具Ａの前方に傾斜状に延設されているため、舌状部８上に落下したボールが、ややくぼんだ中央部分の上を舌状部８の先端部分８ａまで転がっていき、ゴルフボールを効率よく回収することができる。
【００３５】
この際、図１に示したように、舌状部８の先端部分８ａにボール受け用ネット８１が配設されていれば、舌状部８上を転がってきたボールがボール受けネット８１に収納されて舌状部８の先端部分８ａから転がり出るのを阻止でき、好ましい。
練習者は、ゴルフ練習用具Ａの本体部Ａａ（図２参照）までボールを取りに行かなくても、このボール受け用ネット８１に溜まったボールを回収すればよく、非常に楽である。
【００３６】
以上のように、本発明のゴルフ練習用具Ａは、舌状部８を設けたことにより、ゴルフボールの落下音を非常に効果的に消音でき、しかも同時に、ゴルフボールを効率よく回収できるものとなっている。
【００３７】
尚、舌状部８は、先述したように、ゴルフ練習用具Ａの下部の床面から離間した位置からゴルフ練習用具Ａの前方に傾斜状に延設されているため、通常、その先端部分８ａ（又はボール受け用ネット８１）のみが床面に接触した状態となる。
しかし、舌状部８の中央部分がやや下方にくぼんでいるため、ゴルフ練習用具Ａの設計によっては、舌状部８が先端部分８ａより本体部に近い位置で床面に接触してしまう場合がある。
【００３８】
そうした場合、舌状部８が薄ければ、その上をボールが転がる際、ボールが直接床面上を転がる場合と同じように、転がり音が発生することがある。
そうした場合には、舌状部８の下側に緩衝体を配設していれば、転がり音が床面に伝わらず、好ましい。
【００３９】
図３は、緩衝体を配設した舌状部を裏側から見た図である。
本実施形態では、舌状部８の中央部分（上記のややくぼんだ部分に対応）に、緩衝体８２としてクッション性を有するダブルラッセル編地を配設している。
更に、緩衝体８２の左右の端部８２ａのみで舌状部８に縫着することで、上記クッション性を高めている。
緩衝体８２としては、上記のダブルラッセル編地以外にも、例えば、他のタイプのメッシュ体やスポンジ等を配設したり、可撓性シートを重ね合わせたりすることも当然可能である。
【００４０】
また、舌状部８は、その右端部分８ｂ及び左端部分８ｃにそれぞれ棒状体が配設されていれば、舌状部８の傾斜状態を有効に確保することができ、好ましい。
図１の実施形態では、右端部分８ｂ及び左端部分８ｃを筒状に形成し、棒状体として細いパイプ（図示しない）を挿通するようにしている。
【００４１】
更に、舌状部８は、本体部に着脱可能に係止されていれば、後述するように折り畳みの際に取り外すことができ、好ましい。
本実施形態では、図３に示すように、舌状部８に着脱用の面ファスナ８３が設けられている〔後述する右側面部２（図９の面ファスナ２ａ参照）や左側面部３、背面部４の膜部材にも面ファスナが取り付けられている〕。
【００４２】
〔本体部の構造〕
図２は、図１のゴルフ練習用具の本体部を示す斜視図である。
開口部１は、リング体を備えたリング構造で形成された枠体１１よりなる。
また、右側面部２、左側面部３、及び背面部４は、それぞれリング体を備えたリング構造で形成された枠体２１、３１、及び４１と、各枠体に張設された膜部材２２、３２、及び４２とよりなる。
ここで、このリング体を備えたリング構造について説明する。
【００４３】
〔リング構造について〕
図４は、リング構造を構成するリング体を示した図である。
リング構造Ｂは、長円状又は楕円状のリング体Ｂ１を備える。
リング体Ｂ１は、このように長円状又は楕円状のリング状に形成されているため、外部から力が加わった場合にはある程度の反発力を示しながら弾性的に追従し、力が加わらなくなると元に戻る高弾性を有する（図中の１点鎖線参照）。
【００４４】
リング体Ｂ１は、図４の円内に示すように断面矩形状の金属製のリング、特に鉄製（クロメート鍍金製）のリングであれば、高弾性に優れるため、好ましい。
また、高弾性を発揮し得るものであれば、例えば、断面円形状のものも、或いは材質としてはプラスチック等を用いることも可能である。
【００４５】
〔リング構造で形成される枠体について〕
先述したように、開口部１は、リング体Ｂ１を備えたリング構造Ｂで形成された枠体１１よりなる。
図５は、図２のゴルフ練習用具の本体部のＡ１部分の拡大図である。
図６は、図５のＡ１部分のＸ−Ｘ線に沿う断面模式図である。
【００４６】
枠体１１は、主に、リング体Ｂ１ａと、このリング体Ｂ１ａをその外側から覆う外バイアステープ１２と、内バイアステープ１３とよりなる。
具体的に言えば、Ａ１部分の開口部１の枠体１１は、リング体Ｂ１ａをその外側から覆う外バイアステープ１２の端縁１２ａ、１２ｂ及び上面部５を形成する膜部材５１（ネット）の端縁５１ａを、内バイアステープ１３で覆うようにして、これらを同時に逢着位置１４にて逢着することによって構成されている。
【００４７】
このように形成すると、リング体Ｂ１ａが外バイアステープ１２に覆われるが、その中で回動や捩じれが自由に可能な状態となる（右側面部２の枠体２１等でも同様である）。
本発明によれば、開口部１の枠体１１をこのように形成したことで、リング体Ｂ１の高弾性が効果的に発揮され、開口部１を大きく開口した状態に保つことができる。
そのため、練習者が打ったゴルフボールを確実にキャッチすることができる。
【００４８】
〔右側面部等について〕
図７は、ゴルフ練習用具Ａの右側面部を示した図である。
先述したように、右側面部２は、上記と同様に、リング体Ｂ１ｂを備えたリング構造Ｂで形成された枠体２１と、枠体２１に張設された膜部材２２とよりなる。
具体的には、右側面部２の枠体２１は、リング体Ｂ１ｂをその外側から覆う外バイアステープ２３の端縁及び右側面部２に張設される膜部材２２の端縁を、内バイアステープ２４で覆うようにして、これらを同時に逢着することによって形成される。
【００４９】
右側面部２は、枠体２１を開口部１の枠体１１に結合することにより、開口部１に結合させることができる。
図８は、図２のゴルフ練習用具の本体部のＡ２部分の断面模式図である（断面を上から見た場合を示す）。
【００５０】
具体的には、開口部１の枠体１１のリング体Ｂ１ａを外側から覆う外バイアステープ１２の端部と、右側面部２の枠体２１のリング体Ｂ１ｂを外側から覆う外バイアステープ２３の端部と、右側面部２に張設される膜部材２２の端部とを、内バイアステープ１３（内バイアステープ２４でもよい）で覆うようにして、これらを同時に逢着位置１５にて逢着している。
同様の方法により、右側面部２の枠体２１は、背面部４の枠体４１に結合される。
【００５１】
左側面部３及びその枠体３１は、構造及び開口部１や背面部４への結合方法の点で上記右側面部２について左右対称に表され、以上の右側面部２についての説明は、同様に左側面部３についてもあてはまる。
また、背面部４も、上記右側面部２の場合と同様に、枠体４１がリング体Ｂ１を備えたリング構造Ｂで形成され、枠体４１に膜部材４２が張設されてなる。
【００５２】
ここで、右側面部２及び左側面部３の膜部材２２、３２は、ネットであればゴルフボールが衝突しても殆ど音がせず、ゴルフ練習用具Ａの内部空間が明るくなるため好ましい。
中でも、ポリエステル製のネットであれば、軽量で伸縮性を持たせることができる。
【００５３】
また、背面部４の膜部材４２は、可撓性シートであればボールが衝突しても有効に衝撃を吸収して消音するため好ましく、例えばポリアミド繊維布帛等であれば、軽量で丈夫であり好ましい。
また、可撓性シートを用いれば、ネットを用いた場合のようにゴルフ練習用具Ａの背後が透けて見えてしまうことがなく、ショットに集中することができる。
【００５４】
ゴルフ練習用具Ａの上面部５は、図１や図５等に示したように、開口部１、右側面部２、左側面部３、及び背面部４のそれぞれの枠体１１、２１、３１、及び４１の膜部材５１が張設されて形成される。
上面部５の膜部材５１は、ネットであれば、上記と同様の理由で好ましいが、可撓性シートを用いることも当然可能である。
【００５５】
以上のように、本発明のゴルフ練習用具Ａは、舌状部８のみならず、本体部Ａａにおいてもゴルフボールの衝突音を吸収できる構造となっており、非常に消音効果に優れたものとなっている。
また、リング体Ｂ１が、既に開口部１や右側面部２等の枠体１１等に縫い込んであるため、従来のようにゴルフ練習用具Ａを組み立てる際に、パイプ等をネットの網の目に挿通したりする必要がなく、組み立てや分解が非常に簡単になる。
【００５６】
尚、ゴルフ練習用具Ａは、更に、背面部４の膜部材４２の下端を前方に延設して、開口部１、右側面部２、及び左側面部３のそれぞれの枠体１１、２１、及び３１に張設して形成された底面部６を備えてもよい。
また、更に、脚部を備えることも可能である。
【００５７】
図９は、脚部を装着した状態のゴルフ練習用具Ａの下部の概略図である。
本実施形態（図１等参照）では、ゴルフボールを確実にキャッチできるように開口部１を大きく開口した状態に形成しているため、そのままでは開口部１がゴルフ練習用具Ａの前方で突っ張り、ゴルフ練習用具Ａ全体が後方に傾くことがある。
【００５８】
そのような場合には、図９に示すように、脚部７の脚体７１及び腕体７２をそれぞれ背面部４に設けた筒体４ａ及び底面部６に設けた筒体６ａに挿通し、脚部７と開口部１の枠体１１の下部とでゴルフ練習用具Ａ全体を支えればよい。
尚、底面部６を形成しない場合は、筒体６ａは右側面部２及び左側面部３の枠体２１及び３１の下部に形成すればよい。
【００５９】
〔リング構造で形成された枠体の機能〕
ここで、開口部１や右側面部２等に用いられるリング構造の特徴的な機能について述べる。
それは、リング構造を用いたことにより、本実施形態のゴルフ練習用具Ａを小さくコンパクトに折り畳んで収納でき、また簡単に広げてゴルフ練習用具Ａに組み立てることが可能となった点である。
【００６０】
この点について、ゴルフ練習用具Ａを折り畳んで収納する方法を例にとって簡単に説明する。
因みに、ゴルフ練習用具Ａを収納した状態から組み立てるには、以下に述べる方法を逆に行えばよいことは言うまでもない。
【００６１】
図１０は、ゴルフ練習用具Ａを折り畳む手順を説明する図である。
先ず、脚部７や標的幕９を取り外し、また舌状部８が取り外せる場合には取り外す。
次に、右側面部２の枠体２１を背面部４に向かって内側に折り込む〔図１０（Ａ）の矢印参照〕。
すると、枠体のリング体Ｂ１の高弾性により、右側面部２は容易に倒れ込み〔図１０（Ｂ）参照〕、更に開口部１の枠体１１や左側面部３が倒れ込んで、図１０（Ｃ）に示すようにすべての面が相互に重なり合った状態になる。
【００６２】
このようにして、本発明のゴルフ練習用具Ａは、コンパクトに折り畳むことができ、図１０（Ｃ）の状態のまま壁に立て掛けたり袋に入れる等して、保管・収納することができる。
また更に、リング体Ｂ１がリング構造特有の柔軟性を持つことにより、本実施形態のゴルフ練習用具Ａは、更に小さく折り畳むことができる。
【００６３】
即ち、図１０（Ｃ）の状態のゴルフ練習用具Ａを捩じり込むことにより両輪を形成し〔図１１（Ａ）参照〕、更に一方の輪を他方の輪に重ねるように折り込む〔図１１（Ｂ）参照〕。
このような操作を行うことにより、図１１（Ｃ）の状態まで小さく折り畳むことができるのである。
【００６４】
〔標的幕について〕
ショットの練習、特にアプローチショットの練習をする場合には、図１に示したように、上面部５から標的幕９を垂下して行うとよい。
標的幕９は、その上端に面ファスナ（図示しない）を備え、この面ファスナを、上面部５の膜部材５１の内側に設けた面ファスナ（図示しない）に係止させれば、容易に着脱交換でき、好ましい。
【００６５】
図１に示した標的幕９の構成例は、的穴９１が４段に設けられており、各的穴９１の背側にはネット状のボール収容部９１ａがそれぞれ設けられている。
このボール収容部９１ａは袋状に形成されており、ゴルフボールが的穴９１に入ると、そのままボール収容部９１ａに収まり、下には落ちないようになっている。
【００６６】
そのため、練習者は、狙った的穴にボールが入ったかどうかを、ボールを打った直後に頭を動かして確認しなくても済むため、アプローチの練習を適切に行うことが可能となる。
実際には、練習者は、アプローチショットの理想的な軌道上に的穴が来るようにボールとゴルフ練習用具Ａの距離を決め、その的穴を狙って打つ練習を行うのである。
【００６７】
〔第２の実施の形態〕
図１２は、本発明のゴルフ練習用具の第２の実施の形態を示す斜視図である。
本実施形態のゴルフ練習用具Ｃは、立設された４本の柱状体Ｃ１１、Ｃ１２、Ｃ１３、及びＣ１４を備える。
また、右側面部２、左側面部３、及び背面部４は、隣接する２本の柱状体の間に支持部材２５、２６、３３、４３、４４等を介して張設された膜部材２２、３２、及び４２よりなる。
【００６８】
更に、上面部５は、右側面部２、左側面部３、及び背面部４の上部に張設された膜部材５１よりなる。
舌状部８は、先述した第１の実施の形態と同様に、ゴルフ練習用具Ｃの下部に床面から離間した状態に張設され且つゴルフ練習用具Ｃの前方に傾斜状に延設されている。
【００６９】
舌状部８の構造及び機能は、上記の第１の実施の形態で述べた通りであり、本実施形態においても同様にその特有の作用効果を発揮する。
また、図１２では、標的幕９は省略されているが、例えば、面ファスナ５２に係止して上面部５から垂下することが可能であることは言うまでもない。
【００７０】
材質の点では、右側面部２、左側面部３、及び上面部５の膜部材２２、３２、及び５１がそれぞれネットであれば好ましいことや、背面部４の膜部材４２及び舌状部８が可撓性シートであれば好ましいことは、第１の実施の形態で述べた通りである。
【００７１】
〔柱状体の構造及び機能〕
４本の柱状体Ｃ１１、Ｃ１２、Ｃ１３、及びＣ１４は、隣接する柱状体同士が交差する２本の連結部材によって相互に連結されて支持されることを特徴とする。
図１３は、柱状体Ｃ１１の右側から見た図である。
また、図１４は、輪状体Ｃ４１をやや下側から見た拡大図である。
【００７２】
図１３に示すように、柱状体Ｃ１１の最下部には脚状体Ｃ３１が取り付けられている。
また、その上方では輪状体Ｃ４１に柱状体Ｃ１１が挿通され、輪状体Ｃ４１が上下方向に（図中の矢印参照）移動可能に取り付けられている。
更に、脚状体Ｃ３１の上方には、輪状体Ｃ４１の下降を止めるストッパーＣ５１が柱状体Ｃ１１に固定されている。
【００７３】
脚状体Ｃ３１及び輪状体Ｃ４１には、連結部材Ｃ２１及びＣ２２の先端部分がそれぞれビスＣ６１等で回動自在に固定されている。
また、連結部材Ｃ２１及びＣ２２は、その中間位置Ｐで交差して枢着されて、柱状体Ｃ１２の輪状体Ｃ４２及び脚状体Ｃ３２（図１２参照）に回動自在に固定される。
【００７４】
本実施形態においては、以上のようにして、柱状体Ｃ１１と柱状体Ｃ１２とが相互に連結されて支持される。
また、同様にして、柱状体Ｃ１２及び柱状体Ｃ１３、柱状体Ｃ１３及び柱状体Ｃ１４、柱状体Ｃ１４及び柱状体Ｃ１１が、それぞれ相互に連結されて支持されるのである。
【００７５】
〔折り畳み方法等について〕
さて、本実施形態では、柱状体が連結部材により、以上のような構造で連結されている。
そのため、この第２の実施の形態においても、ゴルフ練習用具Ｃを小さくコンパクトに折り畳むことができ、また簡単に広げて組み立てることが可能となる。
【００７６】
具体的に言えば、先ず、図１２の状態のゴルフ練習用具Ｃの舌状部８が着脱可能であれば取り外す。
また、取り外しできない場合は、舌状部８の先端部分８ａのボール受け用ネット８１を取り外し、舌状部８の左右端部分８ｂ、８ｃに棒状体が配設されていれば、それを取り除いて、舌状部８をゴルフ練習用具Ｃの内部に押し込む。
【００７７】
次に、４本の柱状体Ｃ１１、Ｃ１２、Ｃ１３、及びＣ１４の輪状体Ｃ４１（図１３参照）、Ｃ４２等を同時に上方へ移動させる。
すると、隣接する柱状体同士が互いに接近し、右側面部２や背面部４等の膜部材２２や４２等が弛んでいく。
【００７８】
そして、最終的には、図１５に示す状態にまで小さく折り畳むことができ、例えば、袋に収納するなどすれば、非常にコンパクトに収納できる。
また、逆に、輪状体Ｃ４１等を押し下げることにより、ゴルフ練習用具Ｃをワンタッチで簡単に組み立てることができる。
【００７９】
以上、本発明を説明してきたが、本発明は実施形態にのみ限定されるものではなく、その本質を逸脱しない範囲で、他の種々の変形例が可能であることは言うまでもない。
例えば、舌状部８は必ずしも着脱可能でなくてもよく、ゴルフ練習用具Ａ（第１の実施の形態）では、図１０や図１１に示した手順の中で、舌状部８は右側面部２等とともに折り込まれる。
【００８０】
また、ゴルフ練習用具Ｃ（第２の実施の形態）の図１２には、舌状部８の下方に底面部を設けないものを示したが、底面部を形成することは当然可能である。
更に、本明細書においては、応用例として標的幕９を垂下する場合を示したが、この標的幕としては、着脱可能な別の標的幕を採用することも可能である。
【００８１】
【発明の効果】
本発明によれば、ゴルフボールの衝突音や落下音が殆ど生じないため、例えば、マンション等の室内でもアプローチ等のゴルフショットの練習を気軽に行うことができる。
また、ゴルフボールを効率的に回収でき、しかも組み立てや分解が簡単で、小さく折り畳んで収納することができる。
【図面の簡単な説明】
【図１】図１は、本発明のゴルフ練習用具の第１の実施の形態を示す斜視図である。
【図２】図２は、図１のゴルフ練習用具の本体部を示す斜視図である。
【図３】図３は、緩衝体を配設した舌状部を裏側から見た図である。
【図４】図４は、リング構造を構成するリング体を示した図である。
【図５】図５は、図２のゴルフ練習用具の本体部のＡ１部分の拡大図である。
【図６】図６は、図５のＡ１部分のＸ−Ｘ線に沿う断面模式図である。
【図７】図７は、ゴルフ練習用具Ａの右側面部を示した図である。
【図８】図８は、図２のゴルフ練習用具の本体部のＡ２部分の断面模式図である。
【図９】図９は、脚部を装着した状態のゴルフ練習用具Ａの下部の概略図である。
【図１０】図１０は、ゴルフ練習用具Ａを折り畳む手順を説明する図である。
【図１１】図１１は、図１０（Ｃ）の状態のゴルフ練習用具Ａを更に小さく折り畳む手順を説明する図である。
【図１２】図１２は、本発明のゴルフ練習用具の第２の実施の形態を示す斜視図である。
【図１３】図１３は、柱状体Ｃ１１の右側から見た図である。
【図１４】図１４は、輪状体Ｃ４１をやや下側から見た拡大図である。
【図１５】図１５は、第２の実施の形態のゴルフ練習用具を折り畳んだ状態を示す図である。
【符号の説明】
Ａ…第１の実施形態のゴルフ練習用具
Ａａ…本体部
Ｂ…リング構造
Ｂ１、Ｂ１ａ、Ｂ１ｂ…リング体
Ｃ…第２の実施形態のゴルフ練習用具
Ｃ１１〜Ｃ１４…柱状体
Ｃ２１、Ｃ２２、Ｃ２３…連結部材
Ｃ３１、Ｃ３２…脚状体
Ｃ４１、Ｃ４２…輪状体
Ｃ５１…ストッパー
Ｃ６１…ビス
Ｆ…床
Ｐ…中間位置
１…開口部
１１…枠体
１２…外バイアステープ
１２ａ、１２ｂ…端縁
１３…内バイアステープ
１４、１５…逢着位置
２…右側面部
２ａ…面ファスナ
２１…枠体
２２…膜部材
２３…外バイアステープ
２４…内バイアステープ
２５、２６…支持部材
３…左側面部
３１…枠体
３２…膜部材
３３…支持部材
４…背面部
４ａ…筒体
４１…枠体
４２…膜部材
４３、４４…支持部材
５…上面部
５１…膜部材
５１ａ…端縁
５２…面ファスナ
６…底面部
６ａ…筒体
６１…膜部材
７…脚部
７１…脚体
７２…腕体
８…舌状部
８ａ…先端部分
８ｂ…右端部分
８ｃ…左端部分
８１…ボール受け用ネット
８２…緩衝体
８２ａ…端部
８３…面ファスナ
９…標的幕
９１…的穴
９１ａ…ボール収容部
【図１】
2004254944.tif 000003
【図２】
2004254944.tif 000004
【図３】
2004254944.tif 000005
【図４】
2004254944.tif 000006
【図５】
2004254944.tif 000007
【図６】
2004254944.tif 000008
【図７】
2004254944.tif 000009
【図８】
2004254944.tif 000010
【図９】
2004254944.tif 000011
【図１０】
2004254944.tif 000012
【図１１】
2004254944.tif 000013
【図１２】
2004254944.tif 000014
【図１３】
2004254944.tif 000015
【図１４】
2004254944.tif 000016
【図１５】
2004254944.tif 000017